(57)【要約】【課題】プレゼンテーションの際に、各参加者の端末に対する入力情報を同時に表示した場合でも、各入力情報と入力端末を正確に把握できるプレゼンテーション用の表示システムの提供。【解決手段】表示システム１は、プレゼンテーション用の表示装置２の表示を制御する情報処理装置３と、該情報処理装置３と通信可能に接続された複数の端末４とより成り、情報処理装置３が、端末４毎に各端末４の入力情報を表示装置２に表示するための表示領域を割り当てる表示領域割り当て部３１を有し、端末４から入力情報を受信した場合に、当該端末４に割り当てた表示領域に入力情報を表示する。【選択図】図１
2014029573.tif 000002
【特許請求の範囲】
【請求項１】
プレゼンテーション用の表示装置の表示を制御する情報処理装置と、
該情報処理装置と通信可能に接続された複数の端末とより成り、
前記情報処理装置は、
前記端末毎に各端末の入力情報を前記表示装置に表示するための表示領域を割り当てる表示領域割り当て部を有し、
前記端末から入力情報を受信した場合に、当該端末に割り当てた表示領域に前記入力情報を表示することを特徴とする表示システム。
【請求項２】
前記情報処理装置は、前記端末から受信した入力情報に変更があった際に、当該端末に割り当てた表示領域の表示を更新させることを特徴とする請求項１に記載の表示システム。
【請求項３】
前記端末からの入力情報は、テキストデータを含むことを特徴とする請求項１または２に記載の表示システム。
【請求項４】
前記情報処理装置の表示領域割り当て部は、前記表示領域が互いに重ならないように個別に前記表示領域を割り当てることを特徴とする請求項１〜３のいずれか１項に記載の表示システム。
【請求項５】
前記情報処理装置は、前記複数の端末で共通の前記表示領域を前記表示領域割り当て部により割り当てると共に、前記端末毎に判別可能な表示態様で前記各端末からの入力情報を合成して前記共通の表示領域に表示することを特徴とする請求項１〜３のいずれか１項に記載の表示システム。
【請求項６】
前記情報処理装置は、入力情報の表示色を前記端末毎に異ならせることを特徴とする請求項５に記載の表示システム。
【請求項７】
前記情報処理装置は、前記共通の表示領域に表示する合成画像を前記端末それぞれに送信し、前記端末は当該合成画像を表示することを特徴とする請求項５または６に記載の表示システム。
【発明の詳細な説明】
【技術分野】
【０００１】
本発明は、プレゼンテーション用に表示を行うための表示システムに関する。
【背景技術】
【０００２】
会議や授業等のプレゼンテーションでは、プロジェクタとＰＣ（Personal Computer）とが接続された表示システムが用いられており、会議の進行者がＰＣを直接操作し、会議の他の参加者は上記操作に応じてプロジェクタに表示された内容と予め配布された印刷物などを確認しながら会議を進めることが従来行われている。
【０００３】
この技術に関連し、特許文献１には、プロジェクタに接続されたＰＣに対するリモートコントローラとして機能する会議の進行者用携帯端末と、プロジェクタに表示されている内容と同じ内容を閲覧可能な複数の他の参加者用の携帯端末とが用いられ、進行者用端末が、ＰＣに対して、アンケート等の会議資料を参加者用携帯端末に対して指示して送信させるシステムが開示されている。アンケートに対して参加者用携帯端末により記入されたアンケートすなわち回答済みのアンケートは、各参加者用端末からＰＣに対して送信される。
【０００４】
なお、液晶表示装置などの直接表示型の表示装置の大型化に伴い、プレゼンテーションの際に、プロジェクタ（投射型の表示装置）に代えて、大型の表示装置が用いられることもある。
【先行技術文献】
【特許文献】
【０００５】
【特許文献１】特開２００４−１９２４６４号公報
【発明の開示】
【発明が解決しようとする課題】
【０００６】
特許文献１には、各参加者用端末からＰＣに送信された回答済みのアンケートすなわち入力情報をプロジェクタ等の表示装置で表示することは開示されていないが、表示すれば、アンケートに対する回答を参加者全員で共有できる。
しかし、アンケートの回答などの入力情報を単純に同時に表示しただけでは、入力情報が重なって表示されどの端末からの入力か識別不能になってしまったりして、参加者全員が入力情報を正確に把握することはできない。
【０００７】
本発明は、上述のような実情を鑑みてなされたものであり、プレゼンテーションの際に、各参加者の端末に対する入力情報を同時に表示した場合でも、各入力情報と入力端末を正確に把握できるプレゼンテーション用の表示システムを提供することをその目的とする。
【課題を解決するための手段】
【０００８】
上記課題を解決するために、本発明の第１の技術手段は、プレゼンテーション用の表示装置の表示を制御する情報処理装置と、該情報処理装置と通信可能に接続された複数の端末とより成り、前記情報処理装置が、前記端末毎に各端末の入力情報を前記表示装置に表示するための表示領域を割り当てる表示領域割り当て部を有し、前記端末から入力情報を受信した場合に、当該端末に割り当てた表示領域に前記入力情報を表示することを特徴としたものである。
【０００９】
本発明の第２の技術手段は、第１の技術手段において、前記情報処理装置が、前記端末から受信した入力情報に変更があった際に、当該端末に割り当てた表示領域の表示を更新させることを特徴としたものである。
【００１０】
本発明の第３の技術手段は、第１または第２の技術手段において、前記端末からの入力情報が、テキストデータを含むことを特徴としたものである。
【００１１】
本発明の第４の技術手段は、第１〜第３のいずれか１の技術手段において、前記情報処理装置の表示領域割り当て部が、前記表示領域が互いに重ならないように個別に前記表示領域を割り当てることを特徴としたものである。
【００１２】
第５の技術手段は、第１〜第３のいずれか１の技術手段において、前記情報処理装置が、前記複数の端末で共通の前記表示領域を前記表示領域割り当て部により割り当てると共に、前記端末毎に判別可能な表示態様で前記各端末からの入力情報を合成して前記共通の表示領域に表示することを特徴としたものである。
【００１３】
第６の技術手段は、第５の技術手段において、前記情報処理装置は、入力情報の表示色を前記端末毎に異ならせることを特徴としたものである。
【００１４】
第７の技術手段は、第５または第６の技術手段において、前記情報処理装置は、前記共通の表示領域に表示する合成画像を前記端末それぞれに送信し、前記端末は当該合成画像を表示することを特徴としたものである。
【発明の効果】
【００１５】
本発明によれば、プレゼンテーションの際に、各参加者の端末に対する入力情報を同時に表示した場合でも、各入力情報と入力端末を正確に把握できるプレゼンテーション用の表示システムを提供できる。
【図面の簡単な説明】
【００１６】
【図１】本発明の表示システムの構成例を説明するブロック図である。
【図２】図１の表示システムにおける表示領域割り当て方法の一例を説明する図である。
【図３】端末への入力情報を情報処理装置へ送信する際の処理を説明する図である。
【図４】図１の表示システムの情報処理装置の特徴的な処理を説明するフローチャートである。
【図５】図１の表示システムの端末それぞれでの特徴的な処理を説明するフローチャートである。
【図６】本発明の表示システムの他の構成例を説明するブロック図である。
【図７】図６の表示システムでの表示形態を説明する図である。
【図８】図６の表示システムの情報処理装置の特徴的な処理を説明するフローチャートである。
【図９】図６の表示システムの端末それぞれでの特徴的な処理を説明するフローチャートである。
【発明を実施するための形態】
【００１７】
図１は、本発明の表示システムの構成例を説明するブロック図である。
図１の表示システム１は、学校や塾の授業などに好適に用いられるものであり、表示装置２と、プレゼンテーション用に該表示装置２の表示を制御する情報処理装置３と、表示装置２の表示内容を見た参加者から入力がなされる複数の端末４と、を備える。
表示装置２は、例えば大型のＬＣＤ（Liquid Crystal Display）からなる表示パネル２ａと、ＬＣＤの前面に設けられたタッチパットからなる入力部２ｂと、を有する。表示パネル２ａは、複数の参加者が同時に見ることができる大型のものであって、複数から構成されていてもよい。また、入力部２ｂに対する入力情報は、情報処理装置３に送信することも可能となっている。
【００１８】
情報処理装置３は、例えば、デスクトップ型のＰＣ（Personal Computer）であり、制御部３ａと、入力部３ｂと、画像処理部３ｃと、記憶部３ｄと、データ送受信部３ｅとを有する。
【００１９】
制御部３ａは、例えばＣＰＵ（Central Processing Unit）から成るもので、プレゼンテーションを行う人物（プレゼンタ）からの入力部３ｂを介した入力データの制御や、データ送受信部３ｅを介した端末４との間の送受信データの制御、画像処理部３ｃでの画像処理の制御等といった、情報処理装置３の各部での制御を行うことにより、表示装置２の表示制御などを行う。
【００２０】
入力部３ｂは、文字入力するためのキーボードや、ポインタ入力するためのマウスなどから構成され、情報処理装置３の操作者すなわちプレゼンタからの入力が行われるものである。
画像処理部３ｃは、各種画像処理を行うものであり、制御部３ａから指示された画像などを記憶部３ｄから取り出し、表示装置２で表示される画像を生成したり、端末４から受信した画像データを圧縮・伸長し表示装置２に表示する画像に合成したりする。
【００２１】
記憶部３ｄは、ハードディスクドライブ（ＨＤＤ）などの記憶媒体からなり、各種データを予め保持したり、端末４からのデータを一時的に保持したりするモジュールである。
データ送受信部３ｅは、無線ＬＡＮ（Local Area Network）や赤外線などの形態で各端末４との間で情報を送受信するもので、上記情報に基づいて制御部３ａへ設定値を送ったり、画像データを受信した場合に画像処理部３ｃへ転送したりする。
【００２２】
表示システム１には、端末４は複数存在するが、各端末４の主要な構成は同じである。端末４は、例えばタブレット型のＰＣであり、制御部４ａと、表示部４ｂと、入力部４ｃと、画像処理部４ｄと、データ送受信部４ｅとを有する。
【００２３】
制御部４ａは、ＣＰＵ等から成るもので、端末４の各部を制御するもので、例えば、プレゼンタ以外のプレゼンテーションへの参加者の入力部４ｃを介した入力データの制御や、画像処理部４ｄでの画像処理の制御、データ送受信部４ｅを介した情報処理装置３との間の送受信データの制御等を行う。
【００２４】
表示部４ｂは、例えば小型のＬＣＤ等の表示パネルからなり、入力部４ｃは、表示部４ｂの前面に設けられているタッチパネルなどからなる。
画像処理部４ｄは、各種画像処理を行うものであり、入力部４ｃから入力された情報に基づいて表示部４ｂに表示する画像を生成したり、情報処理装置３に転送する画像を圧縮したりする。
データ送受信部４ｅは、無線ＬＡＮや赤外線などの形態で情報処理装置３との間で情報を送受信するもので、上記情報に基づいて制御部３ａへ設定値を送ったり、画像処理部４ｄで圧縮した画像データを情報処理装置３へ転送したりする。
【００２５】
以上のような構成の表示装置２、情報処理装置３、複数の端末４から成るプレゼンテーション用の表示システム１では、プレゼンテーションの最中にプレゼンタが出した問題に対する回答などの入力を各端末４で行う。入力された情報は各端末４から情報処理装置３へ送信され、表示装置２に表示される。その際の表示領域を端末４毎に割り当てるのが、情報処理装置３の表示領域割り当て部３１である。
【００２６】
図２は、図１の表示システム１における表示領域割り当て方法の一例を説明する図である。
図２（Ａ）の画面Ｐ１は、プレゼンテーションの最中に表示装置２に表示されるもので、プレゼンタが出題した問題がテキストＰ１１で示されており、この問題に対する解答欄の表示領域を空白部分Ｐ１２に以下の手順で端末４毎に割り当てる。
【００２７】
例えば、プレゼンテーションの途中、画面Ｐ１が表示されている状態でプレゼンタが図示しない「メニュー選択」操作をすることにより、１台目の端末への表示領域の割り当ては開始される。
【００２８】
表示領域の割り当ての際、まず、プレゼンタが、表示装置２の入力部２ｂすなわちタッチパッドや、情報処理装置３の入力部３ｂすなわちマウスなどを用いて、表示領域の左上の点及び右下の点を選択することにより、表示領域の位置及び大きさが決定される。
【００２９】
表示領域が決定されると、当該表示領域を割り当てる端末を選択するダイアログ、例えば、図２（Ｂ）のダイアログＤ１が表示装置２に表示される。
表示装置２のタッチパッドや、情報処理装置３のマウスなどを用いて、ダイアログＤ１のプルダウンメニューＤ１１を操作すると、情報処理装置３と通信可能に接続された端末４が全て表示されるので、その中から所望の端末４を選択し、実行ボタンＤ１２を押下すると、当該端末４すなわち１台目の端末４への表示領域の割り当てが完了する。なお、ダイアログＤ１には、表示領域を決定した際に、自動的に決定される当該領域の名称Ｄ１３が表示されている。この名称Ｄ１３は、情報処理装置３の入力部３ｂのキーボード等を用いて手動で決定できるようにしてもよい。また、名称Ｄ１３の情報は該当する端末４へ送信される。
【００３０】
実行ボタンＤ１２が押下され、１台目の端末４への表示領域の割り当てが完了すると、図２（Ｃ）の画面Ｐ２が表示される。画面Ｐ２では、１台目の端末に割り当てた表示領域Ｐ２１が矩形で示されると共に、当該領域の名称Ｐ２２と、１台目の端末の名称Ｐ２３が示されている。
以後、上述の手順を繰り返すことで、各端末４への個別の表示領域の割り当てが完了する。図２（Ｄ）の画面Ｐ３は、情報処理装置３に３台の端末４が通信可能に接続されている場合に、３台全ての端末４へ表示領域の割り当てが完了された際に表示装置２に表示されるものである。
【００３１】
全ての端末４への表示領域の割り当て後に、テキストＰ１１で示された問題に対する解答が入力情報としてデータ送受信部３ｅを介して各端末４から入力されると、入力情報は画像処理部４ｄに送られる。入力情報が圧縮された画像データであれば、画像処理部４ｄにより、伸張処理が行われ画像が生成される。また、入力情報が文字データであれば、当該文字データに基づく文字情報を含む画像が画像処理部４ｄにより生成される。なお、上述の入力情報に基づいて画像処理部４ｄにより生成される画像は、当該入力情報の入力元の端末４に割り当てられた表示領域に合わせたサイズに生成される。
【００３２】
上述のようにして生成された、入力情報に基づく画像は、画面Ｐ３において、当該入力情報の入力元の端末４に割り当てられた表示領域に合成して表示される。
【００３３】
以上のような構成により、プレゼンテーションの際に、各参加者の端末４に対する入力情報を表示装置２に同時に表示した場合でも、参加者やプレゼンタが各入力情報を正確に把握できる。
【００３４】
図３は、端末４への入力情報を情報処理装置３へ送信する際の処理を説明する図である。
端末４では、例えば、プレゼンテーション中に表示装置２に表示された問題に対する参加者の解答が入力部４ｃを介して入力されると、図３の画面Ｐ４のように、入力部４ｃへの入力に応じた画像Ｐ４１が示された画面が表示部４ｂに表示されると共に、上記入力すなわち解答に基づく入力情報が情報処理装置３に送信される。
【００３５】
また、入力情報の送信タイミングであるが、入力部４ｃへの入力／追加入力が行われたか否か一定期間ごとに判定し、行われていた場合に、入力情報の送信が行われる。これにより、表示装置２と、端末４の表示部４ｂとで表示内容を同じとすることができる。
なお、画面Ｐ４には、当該端末４に対して割り当てられた領域の名称であって、図２（Ｃ）の画面Ｐ２にも表示されている領域の名称Ｐ２２と同じものが表示されている。これにより、参加者が、自分が入力した解答すなわち入力情報がいずれの表示領域に入力されるか判別できる。
【００３６】
また、入力情報の送信形態は、入力部４ｃへの入力形態に応じて異なる。
入力部４ｃへの入力形態が手書き入力であった場合、入力情報は、画像データ、例えば、画像処理装部４ｄによりＪＰＥＧ圧縮された画像データとして情報処理装置３に送信される。
【００３７】
一方、入力形態が（ソフトウェア）キーボードを介したテキスト入力であった場合、入力情報はテキスト情報として情報処理装置３に送信される。このように、テキスト情報として送信することで、送信データ量を削減することができる。
また、入力形態が、手書き入力及びテキスト入力の両方だった場合、手書き入力分については画像データとして送信し、テキスト入力部分については、テキスト情報として送信し、その送信の際、テキスト入力表示位置情報を一緒に送信する。情報処理装置３では、手書き入力による入力情報に基づく画像に、テキスト入力表示位置情報を用いて、テキスト入力による入力情報が適切な位置に合成された画像が画像処理部３ｃで生成され、表示装置２に送信される。
【００３８】
図４は、図１の表示システム１の情報処理装置３の特徴的な処理を説明するフローチャートである。なお、以下の例では、端末４から情報処理装置３に送信される入力情報は、圧縮された画像データの形態であるものとする。
【００３９】
まず、プレゼンタが、プレゼンテーションの際に表示装置２に表示させた画面に示される問題に対して、端末４を介して参加者の解答が欲しい場合、プレゼンタの操作に応じて、情報処理装置３は、図示するように、表示入力ができるアプリなどを起動している端末４を無線ＬＡＮなどで探し、対象の端末４へ通信確立要求を送信し通信確立を行う（ステップＳ１）。複数の端末４との間で通信確立が成立すると、情報処理装置３は、プレゼンタの操作に応じて、表示領域割り当て部３１により端末４それぞれに表示領域を個別に割り当て（ステップＳ２）、割り当てが完了した際にはその旨を各端末４に送信し、各端末４からの入力待ちとなる。
【００４０】
入力待ちの状態では、いずれかの端末４から入力情報を受信したか否か判定する（ステップＳ３）。受信していない場合（ＮＯの場合）、ステップＳ３に戻り、受信した場合（ＹＥＳの場合）、情報処理装置３は、データ送受信部３ｅから画像処理部３ｃへ入力情報を転送し、画像処理部３ｃにより画像を伸張して、当該入力情報の送信元の端末４に割り当てられた表示領域に合わせて画像サイズを調整した画像を生成し（ステップＳ４）、該画像が該当する表示領域に示された画面を表示装置２に表示させる（ステップＳ５）。
【００４１】
その後、端末毎の割り当て表示領域への表示の終了の指示がなされたか否か判定し（ステップＳ６）、なされていない場合（ＮＯの場合）、ステップＳ３に戻り、各端末４からの入力待ちの状態に戻り、上記終了の指示がなされていた場合（ＹＥＳの場合）、終了通知を各端末４へ送信すると共に処理を終了する。
【００４２】
図５は、図１の表示システム１の端末４それぞれでの特徴的な処理を説明するフローチャートである。なお、本例においても、端末４から情報処理装置３に送信される入力情報は、圧縮された画像データの形態であるものとする。
まず、参加者が、プレゼンテーションの際に表示装置２に表示された画面に示される問題に対して、端末４を介して解答をしたい場合、該参加者の操作に応じて、端末４は、図示するように、情報処理装置３との通信が行えるアプリなどを起動した後、情報処理装置３からの通信確立要求に応答して通信確立を行い（ステップＳ１１）、端末４それぞれへの表示領域の割り当ての完了待ちの状態となる。
【００４３】
この状態では、端末４は、上記割り当てが完了したか否か、すなわち、割り当て完了の通知を情報処理装置３から受信したか否かを判定する（ステップＳ１２）。受信していない場合（ＮＯの場合）、ステップＳ１２に戻り、受信した場合（ＹＥＳの場合）、端末４は入力可能状態になり、入力部４ｃを介した（解答の）入力が行われたか否か判定する（ステップＳ１３）。入力が行われていない場合（ＮＯの場合）、入力が行われた場合（ＹＥＳの場合）、該入力に応じた画像を画像処理部４ｄで生成し、表示部４ｂに表示すると共に、生成した画像を画像処理部４ｄで圧縮し、データ送受信部４ｅを介して情報処理装置３に送信し（ステップＳ１４）、表示装置２に表示させる。
【００４４】
そして、端末毎の割り当て表示領域への表示の終了通知を情報処理装置３から受信したか否か判定する（ステップＳ１５）。受信していなかった場合（ＮＯの場合）、再入力／追加入力が行われたか否か判定する（ステップＳ１６）。行われていなかった場合（ＮＯの場合）、ステップＳ１５へ処理を移行し、行われていた場合（ＹＥＳの場合）、ステップＳ１４に処理を移行し、入力に応じた画像が、表示部４ｂと表示装置２に同時に表示されるようにする。この構成により、最新の入力に応じた画像を表示装置２上でも表示できる。ステップＳ１５において、終了通知を受信していた場合（ＹＥＳの場合）、処理を終了する。
【００４５】
なお、以上の例では、プレゼンタの操作に基づいて、各端末４に表示領域を割り当てている。しかし、該割り当てを開始する際に表示されていた画面の空白部分を検知し、その空白部分に相当する表示領域を端末４の台数で分割して各端末４に均等に自動的に割り当てるようにしてもよい。
【００４６】
図６は、本発明の表示システムの他の構成例を説明するブロック図である。本例において、図１の表示システム１内の構成部と同様な構成部については、同じ参照符号を付すことにより、その説明を省略する。
【００４７】
図１の例では、表示領域割り当て部３１が端末４毎に個別に表示領域を割り当てており表示領域同士は互いに重なっていなかったが、例えば、画面内の問題文が長く、問題文以外の空白部分が狭いときには、互いに重ならないように表示領域を割り当てると、各表示領域が狭くなってしまい、遠くから判別しにくくなってしまったりする。
【００４８】
それに対し、図６の例の表示システム１´では、プレゼンタの操作に応じて表示領域割り当て部３１´が全ての端末４で共通の表示領域を割り当てる。また、表示システム１は、端末４からの入力情報を入力元の端末毎に判別可能に合成する合成部３２を情報処理装置３´の画像処理部３ｃ´が有し、合成された画像は端末４に共通に割り当てられた表示装置２の表示領域に表示される。
【００４９】
なお、入力情報を入力元の端末毎に判別可能に合成する方法としては、入力情報の表示色を前記端末毎に異ならせる方法がある。
【００５０】
図７は、図６の表示システム１´での表示形態を説明する図である。ここでは、３台の端末４、「端末Ａ」、「端末Ｂ」、「端末Ｃ」が情報処理装置３´と通信可能に接続されているものとする。
【００５１】
３台の端末で共通の、表示装置２における表示領域の割り当てが完了した後、プレゼンテーションへの各参加者の入力が端末４になされると、「端末Ａ」、「端末Ｂ」、「端末Ｃ」の表示部４にそれぞれ図７（Ａ）に示す画面Ｐ５、Ｐ６、Ｐ７を表示する。画面Ｐ５のメイン表示部分Ｐ５１には、参加者が入力した「あああああ」という情報が上部に示され、画面Ｐ６のメイン表示部分Ｐ６１には、参加者が入力した「いいいいい」という情報が中央付近に示され、画面Ｐ７のメイン表示部分Ｐ７１には、参加者が入力した「ううううう」という情報が下部に示されている。
【００５２】
また、「端末Ａ」、「端末Ｂ」、「端末Ｃ」のそれぞれは、上述のように画面Ｐ５、Ｐ６、Ｐ７を表示すると共に、メイン表示部分Ｐ５１に示されている画像を画像処理部４ｄにより圧縮し、画像データとしてデータ送受信部４ｅを介して情報処理装置３´に送信する。
【００５３】
情報処理装置３´では、各端末４から受信した画像データをそれぞれ画像処理部３ｃ´で伸張し、画像データの入力元の端末毎に判別可能に合成部３２で合成する。例えば、「端末Ａ」からの画像データについては黒色で示し、「端末Ｂ」からの画像データについてはグレーで示し、「端末Ｃ」からの画像データについては青色で示す合成画像を合成部３２で生成する。
【００５４】
そして、画像処理部３ｃ´にて、図７（Ｂ）の画面Ｐ８のような、端末４に共通で割り当てた表示領域に合成画像Ｐ８１が示された画面を生成し、表示装置２に表示させる。なお、合成画像Ｐ８１における白抜き文字部分は実際は青色である。
【００５５】
また、情報処理装置３´では、合成画像を画像処理部３ｃ´で圧縮し、画像データとしてデータ送受信部３ｅを介して、各端末４に送信する。受信した各端末４では、画像データを画像処理部４ｄにより伸長し、合成画像を生成し、入力情報に基づく画像を表示している表示部４ｄに合成画像を併せて表示する。なお、合成画像は、当該端末４への入力情報に基づく画像を表示するメイン表示部分とは異なる位置に設けられたサブ表示部分に表示してもよいし、上記入力情報に基づく画像に重ねて表示してもよい。なお、重ねて表示する場合は、合成画像に透かし処理をしてから表示を行うことが好ましい。
このように合成画像を各端末４でも表示することで、ユーザは、所望の位置に簡単に適切に入力情報を入力することができる。
【００５６】
図８は、図６の表示システム１´の情報処理装置３´の特徴的な処理を説明するフローチャートである。図４のフローチャートで説明した処理と同様な処理については同じステップ番号を付すことによりその説明を省略する。
【００５７】
情報処理装置３´では、図示するように、ステップＳ４において、端末４から受信した画像データを画像処理部３ｃ´により伸張して、複数の端末４に共通で割り当てられた表示領域に合わせて画像サイズを調整した画像を生成した後、以下の処理を行う。すなわち、端末４それぞれからの画像データを伸張した画像を合成部３２により合成し合成画像を生成する（ステップＳ２１）。そして、ステップＳ５において、共通の表示領域に上記合成画像が示された画面を表示装置２に表示させる。その後、上記合成画像を画像処理部３ｃ´により圧縮し（ステップＳ２２）、画像データとして各端末４へ送信し（ステップＳ２３）、処理をステップＳ６に移行する。
【００５８】
図９は、図６の表示システム１´の端末４それぞれでの特徴的な処理を説明するフローチャートである。図５のフローチャートで説明した処理と同様な処理については同じステップ番号を付すことによりその説明を省略する。
【００５９】
端末４は、図示するように、ステップＳ１５において、終了通知が受信されていないと判定された場合（ＮＯの場合）、合成画像の画像データを情報処理装置３´から受信したか否か判定する（ステップＳ３１）。受信していない場合（ＮＯの場合）、処理をステップＳ１６へ移行するが、受信している場合（ＹＥＳの場合）は、画像処理部４ｃにて画像データを伸張し（ステップＳ３２）、合成画像を生成し、該構成画像を表示部４ｂに表示する（ステップＳ３３）。その後、処理をステップＳ１６へ移行する。
【符号の説明】
【００６０】
１，１´…表示システム、２…表示装置、２ａ…表示パネル、２ｂ…入力部、３，３´…情報処理装置、４，４´…端末、３ａ…制御部、３ｂ…入力部、３ｃ，３ｃ´…画像処理部、３ｄ…記憶部、３ｅ…データ送受信部、４ａ…制御部、４ｂ…表示部、４ｃ…入力部、４ｄ…画像処理部、４ｅ…データ送受信部、３１…表示領域割り当て部、３２…合成部。
【図１】
2014029573.tif 000003
【図２】
2014029573.tif 000004
【図３】
2014029573.tif 000005
【図４】
2014029573.tif 000006
【図５】
2014029573.tif 000007
【図６】
2014029573.tif 000008
【図７】
2014029573.tif 000009
【図８】
2014029573.tif 000010
【図９】
2014029573.tif 000011